(57)【要約】    【課題】  強度上問題のない紙製什器であって、さらに使い勝手のよい簡易な構造の商品陳列用紙製什器を提供しようとする。    【解決手段】  紙で形成された陳列棚2を、紙で形成された支持柱1から延出する支持腕11で片持ち状に支持する商品陳列用紙製什器であって、前記支持柱1及び支持椀11を、厚紙を複数重ねて形成させた。【選択図】        図１ 
0003109548.tif 000002
【実用新案登録請求の範囲】
【請求項１】
紙で形成された陳列棚を、紙で形成された支持柱から延出する支持腕で片持ち状に支持する商品陳列用紙製什器であって、前記支持柱及び支持椀を、厚紙を複数重ねて形成させたことを特徴とする商品陳列用紙製什器。
【請求項２】
紙製の陳列板を二枚重ねて陳列棚を形成させるとともに、その上下の板間に、出し入れ自在な紙製板部材を挿入させて、陳列面を増減自在とさせ、さらに、前記下の陳列板の中間部に、所定幅の切り欠きを形成させるとともに、前記板部材の中間部に、前記切り欠きに対応する位置で、かつ該切り欠き幅より狭い幅で、先端が引き方向に向いた舌片となる切り込みを形成させたことを特徴とする請求項１の商品陳列用紙製什器。
【請求項３】
紙製の陳列板を二枚重ねて陳列棚を形成させるとともに、その上下の板間に、出し入れ自在な紙製板部材を挿入させて、陳列面を増減自在とさせ、さらに、前記板部材のうち、掴部の折り返し部となる部分に、Ｖカットを入れ、該Ｖカット部を内側に折り込んで、前記掴部を形成させたことを特徴とする請求項１または２の商品陳列用紙製什器。
【考案の詳細な説明】
【技術分野】
【０００１】
この考案は、商品陳列用紙製什器に関する。
【背景技術】
【０００２】
商品陳列用什器（POPとも呼ばれる）は、従来、金属や木材、プラスチック樹脂などで形成されていた。しかし、軽量による扱いやすさ、コストの安さ、廃棄処理の容易さの観点などから、本出願人は、紙製の什器を開発している。
【考案の開示】
【考案が解決しようとする課題】
【０００３】
しかし、紙製の什器は強度に問題があり、破損しやすかった。
【０００４】
また、陳列棚を拡縮自在にするために、陳列棚の一部を引き出し構造とした際、その引出部がすっぽり抜けてしまうおそれがあった。その問題を解決するために、樹脂製のストッパ等を設けてもよいが、コストが上昇するうえに、紙以外の部材があることによって、そのまま廃棄することができなくなる。
【０００５】
さらに、引出部を出し入れすると、どうしても掴み部となる先端部がスリ切れてしまうという問題があった。その問題を解決するために、補強シールを貼ることも考えられるが、ストッパの場合と同様に、コストが上昇し、そのまま廃棄することが困難となり、加えて見栄えも悪くなるという問題があった。
【０００６】
この考案は、従来技術の以上のような問題に鑑み創案されたもので、強度上問題のない紙製什器であって、さらに使い勝手のよい簡易な構造の商品陳列用紙製什器を提供しようとするものである。
【課題を解決するための手段】
【０００７】
商品陳列用什器の構造としては、種々の構造がありうるが、陳列する商品がよく見えるようにするのが好ましいことからすれば、陳列棚の支持部材は表から見えない構造のほうが良い。そこで、例えば、陳列棚の後方に支持柱を配置し、その支持柱から延出する支持椀により、下方から片持ち状で支持する構造とすれば、支持部材は陳列棚の後方あるいは下方に隠れ、正面からは陳列棚しか見えないことになるので、非常に好ましい形態となる。しかし、そのような構造の場合、片持ち状ゆえ、陳列棚及び商品の重みで、支持椀及び支持椀の基端部（支持柱の支持支持部）に偏荷重がかかり、紙製では当該部位が破損するおそれがある。そこで、そのような問題を解決するため、本願に係る商品陳列用紙製什器は、紙で形成された陳列棚を、紙で形成された支持柱から延出する支持腕で片持ち状に支持する商品陳列用紙製什器であって、前記支持柱及び支持椀を、厚紙を複数重ねて形成させたことを第１の特徴とする。
【０００８】
また、ユーザからは陳列する商品の量を適宜変えたい要望も多いが、上記のように、陳列棚の陳列板が伸縮自在な構造であれば、陳列面（陳列スペース）が増減自在となって、その要望に沿う形態となる。そこで、例えば、上記構造を前提とした形態において、陳列板を二枚重ねて陳列棚を形成し、その上下の板間に、スライド自在な板部材を挿入させ、その板部材を出し入れさせる構造とすれば、挿入された陳列板の出し入れにより、陳列スペースが増減自在となって、非常に好ましい形態となる。しかし、単に板部材を挿入させるだけでは、挿入した板部材を引いたときに抜け落ちてしまうおそれもある。ここで、他の部材を用いて板部材の抜け落ち防止策を図ることも考えられるが、上記のように紙製であるメリットが減殺されてしまう。そこで、そのような問題を解決するため、前記商品陳列用紙製什器を前提とした構造において、紙製陳列板を二枚重ねて陳列棚を形成させるとともに、その上下の板間に、出し入れ自在な紙製板部材を挿入させて、陳列面を増減自在とさせ、さらに、前記下の陳列板の中間部に、所定幅の切り欠きを形成させるとともに、前記板部材の中間部に、前記切り欠きに対応する位置で、かつ該切り欠き幅より狭い幅で、先端が引き方向に向いた舌片となる切り込みを形成させたことを第２の特徴とする。
【０００９】
この構成では、出し入れ自在な板部材を上下二枚の陳列板の間に挿入すると、板部材の切り込み状舌片が、下の陳列板の切り欠き内に位置することになるので、その舌片を切り欠き内で起ち上げる。舌片の先端は、引き方向に向いているので、板部材を引っぱると、切り欠きの端部までは板部材は引き方向に移動するが、切り欠き端部まで行くと舌片がその端部に引っかかって、板部材は止まる。すなわち、舌部材が切り欠き端部に引っかかる構成により、舌部材が板部材のストッパとなっており、このストッパ構成によって、板部材の抜け落ちが防止される。このような構成は、下の陳列板に切り欠きを入れるとともに、出し引きする板部材に切り込みを入れるだけなので、他の部材を必要とせず、しかもきわめて簡易な製造工程で得られることになる。
【００１０】
また、上記のような板部材が出し引き自在な構造の場合、上記のように、出し入れ時の掴部となる板部材の端部が、どうしても擦れたり、破損したりしやすくなる。というのは、厚紙を折り返して角部を形成する場合、最も簡単な形成方法は、図７(a)に示すように、紙に切り込み5（いわゆる半切れ）を入れ、同図(b)に示すように、その切り込み5が外側となるように折り返す工程であるが、このような工程を経た板部材を引出部として用いた場合、その端部では、切り込み4から擦り切れたり、破損してしまうことになるのである。これを防ぐ手だてとして、補強シールを切り込みに貼ることも考えられるが、上記のように紙製であるメリットが減殺されてしまうことに加え、見栄えも悪くなる。そこで、そのような問題を解決するために、紙製陳列板を二枚重ねて陳列棚を形成させるとともに、その上下の板間に、出し入れ自在な紙製板部材を挿入させて、陳列面を増減自在とさせた前記商品陳列用紙製什器を前提とした構造において、前記板部材のうち、掴部の折り返し部となる部分に、Ｖカットを入れ、該Ｖカット部を内側に折り込んで、前記折り返し部を形成させたことを第３の特徴とするものである。
【００１１】
ここで、Ｖカットを入れるとは、例えば図６(a)に示すように、紙製板部材の一方面に断面Ｖ字状の溝を切ることをいう。このため、この構成では、同図(b)に示すように、該Ｖカット4部を内側に折り込むことにより、掴部の折り返し部を形成させているので、角部の強度が増し、また切れ目もないので、擦り切れたり、破損するおそれが格段に減少する。また、外見上、切れ目がないので美感も向上する。
【００１２】
なお、本願に係る考案では、いずれにおいても、商品陳列用紙製什器のすべての部位が紙から形成されるので、コストが低廉ですみ、また軽量で扱いやすく、さらに廃棄処理が容易で、リサイクルも可能であるというメリットがある。
【考案の効果】
【００１３】
以上説明したように、本願に係る考案によれば、紙製であるにもかかわらず、強度上問題がなく、また簡易な構造であって使い勝手もよいという顕著な効果が得られる。さらに、出し引き自在な板部材を用いて、陳列面の増減を自在とする形態にあっても、実に簡易な構造で板部材の抜け落ちを防止できるとともに、その板部材端部の擦り切れや破損も有効に防止でき、かつ見栄えも良好となる効果が得られる。
【考案を実施するための最良の形態】
【００１４】
本願に係る考案の一形態例を図面に基づき説明する。図１は本形態例である商品陳列用紙製什器の全体図であり、(a)は正面からの斜視図、(b)は裏面からの斜視図である。また、図２は支持柱の詳細図、図３は陳列棚の斜視図、図４は陳列棚を形成する各シートを示している。図４は陳列棚の説明図であり、(a)は引出板を挿入した状態の裏面からの斜視図、(b)は(a)中のＸ−Ｘ矢視断面図である。図５は、引出板の説明図であり、(a)は斜視図、(b)は(a)中のＡ部拡大図、(c)は(b)の図を角度を変えた位置から見た図である。
【００１５】
本形態例の什器は、すべての部位が、シート状厚紙を切り抜いたものを折り曲げ加工することで形成されている。各部位を折り曲げ加工した後、組み立てた完成体が図１に示す形態であり、完成体の什器は、図示のように、陳列棚2が二段からなり、各陳列棚2は、支持柱1から延出する支持椀11で片持ち状に支持される。したがって、支持柱1を後方側に向けて配置すれば（図１(a)の状態）、陳列棚2が何の障害物もなく正面に位置することになり、商品を陳列したとすると、商品がよく見える形態となっている。なお、陳列棚2は必要があればもっと複数段設ける形態（本形態を前提とすれば、例えば支持椀11を複数形成する構成等）でも良い。
【００１６】
前記支持柱1を図２に示す。図示のように、支持柱1は上下二カ所に外方に延出する支持椀11が形成される形状であり、折り曲げ加工体（図３に示す1a,1b,1cを折り曲げたもの）を３枚重ねて形成されている。図３は、折り曲げ加工前の切り抜きのシート状態を示し、(a)は外側のシート1a、(b)は該シート1aの内側に重ねる真ん中のシート1b、(c)は該シート1bの内側に重ねる最内側のシート1cである。各シート1a,1b,1cのうち、10は柱本体部を、11aは下段支持椀部を、11bは上段支持椀部を、12は底部をそれぞれ形成する箇所である。同図に示すように、支持柱1は、すべての部位において少なくとも２枚のシートが重なって形成されており、特に上下段の支持椀部11a,11bの各基端部11c,11dについては３枚のシートが重なって形成されている。したがって、陳列棚2に多数の商品が載置されて支持椀部11に荷重がかかっても、所定の重さなら支持椀部11が十分耐えうる構造となっている。
【００１７】
前記陳列棚2は、図４(b)に示すように、シート状厚紙をその幅方向両端部にフランジ20が形成されるように二重に重ねて折り曲げ、幅方向端部21相互を接合して形成される。重ねた上側シート22が商品を載せる表側陳列板となり、下側シート23が裏側陳列板となる。長手方向両端部は、接合せずに開放のままにする。また、図４(a)に示すように、裏側陳列板となるシート23の中間部には、陳列板の長手方向に沿った長方形状の切り欠き24が二カ所形成される。
【００１８】
陳列棚2の前記両開放端の上下シート22,23間には、スライド自在な引出板3がそれぞれ挿入される。この引出板3の出し入れにより、陳列棚2の陳列面（陳列スペース）が増減自在となる。該引出板3も、シート状厚紙の切り抜きを折り曲げ加工して形成されたものであり、図５に示すように、その両端部に、前記陳列棚のフランジ20に対応するフランジ30が形成されるとともに、長手方向一端部にも掴部用フランジ31が形成される。該掴部用フランジ31には、補強のため、もう一枚厚紙が折り曲げ重ねて貼られているが、同図(b)に示すように、その補強用掴み部32の角部32aを形成する折り返し部32bは、Ｖカットを入れ、そのＶカット部を内側に折り込んで形成されている。したがって、掴み部32の角部32aには切り込みがなく、そこを掴んで引出板3を出し入れしても、擦り切れたり、破損することがない。また見栄えも良い。
【００１９】
また引出板3の板面33のうち、前記陳列棚2の切り欠き24に対応する位置で、かつ該切り欠き24幅より若干狭い幅で、先端が引き方向に向いた舌片25となる切り込み26が形成されている。
【００２０】
この構成では、出し入れ自在な引出板3を、陳列棚2の上下二枚のシート22,23間に挿入すると、引出板3の切り込み状舌片25が、下のシート23の切り欠き24内に位置することになるので、その舌片25を切り欠き24内で起ち上げる。舌片25の先端は、引き方向に向いているので、引出板3を引っぱると、切り欠き24の端部までは切り欠き24に沿って引出板3は引き方向に移動するが、切り欠き24端部まで行くと舌片25がその端部に引っかかって、引出板3は止まる。すなわち、舌片25が切り欠き24端部に引っかかる構成により、舌片25が引出板3のストッパとなっており、このストッパ構成によって、引出板3の抜け落ちが防止される。このような構成は、下のシート23に切り欠き24を入れるとともに、出し引きする引出板3に切り込み26を入れるだけなので、他の部材を必要とせず、しかもきわめて簡易な製造工程で得られることになる。
【００２１】
なお、本願に係る考案は以上説明した形態例に何ら限定されるものではなく、例えば支持柱や陳列棚等の各部位や前記切り欠きや舌片等の構成要素が他の形状・大きさであっても、本願の実用新案登録請求の範囲の構成を満たしている限り、本願に係る考案の技術的範囲に属するものであることは当然である。
【産業上の利用可能性】
【００２２】
この考案は、商品ディスプレイに用いる什器（ＰＯＰ）として適用可能である。
【図面の簡単な説明】
【００２３】
【図１】本形態例である商品陳列用紙製什器の全体図であり、(a)は正面からの斜視図、(b)は裏面からの斜視図である。
【図２】支持柱の詳細を示した斜視図である。
【図３】陳列棚を形成する各シートを示し、(a)は外側のシート、(b)は真ん中のシート、(c)は内側のシートである。
【図４】陳列棚の説明図であり、(a)は引出板を挿入した状態の裏面からの斜視図、(b)は(a)中のＸ−Ｘ矢視断面図である。
【図５】引出板の説明図であり、(a)は斜視図、(b)は(a)中のＡ部拡大図、(c)は(b)の図を角度を変えた位置から見た図である。
【図６】請求項３の考案に係る折り返し部の形成工程の一例を示し、(a)はＶカットを入れた状態の紙製板部材の端面図、(b)はＶカット部を内側に折り込んだ状態の端面図である。
【図７】従来の折り返し部の形成工程の一例を示し、(a)は切り込みを入れた状態の紙製板部材の端面図、(b)は切り込みを折り返した状態の端面図である。
【符号の説明】
【００２４】
1         支持柱
2         陳列棚
3         引出板
10        柱本体部
11        支持椀部
12        底部
20        フランジ
21        端部
22        上側シート（上側陳列板）
23        下側シート（下側陳列板）
24        切り欠き
25        舌片
30        フランジ
32        角部
33        板面
【図１】
0003109548.tif 000003
【図２】
0003109548.tif 000004
【図３】
0003109548.tif 000005
【図４】
0003109548.tif 000006
【図５】
0003109548.tif 000007
【図６】
0003109548.tif 000008
【図７】
0003109548.tif 000009